(57)【要約】【課題】  ハンガーの昇降機能を椅子の背もたれ部分の内部に設けることができ、構造が簡単であり、取扱性に優れ、しかも機械的強度に優れたハンガー付椅子を提供すること。【解決手段】  腰受部７０と背受部２０とを少なくとも有する椅子本体１と、衣類掛用部材と、該衣類掛用部材と略直交方向に配置されかつ該衣類掛用部材を支持可能な支持部材とを有してなるハンガー２とを有してなり、背受部２０における腰受部７０側（下側）に対向する端部（上側）に、ハンガー２における支持部材が挿入され、背受部２０が、前記支持部材に貫入された状態で該支持部材を保持可能な保持部材を備えたハンガー付椅子である。前記ハンガーにおける前記支持部材を保持可能な保持部材が、前記背受部の内部に設けられているので、外観性に優れると共に外観を含む構造が簡単で、故障が生じ難い。【選択図】        図１
2006087528.tif 000002
【特許請求の範囲】
【請求項１】
腰受部と背受部とを少なくとも有する椅子本体と、
衣類掛用部材と、該衣類掛用部材を支持可能な支持部材とを有してなるハンガーとを有してなり、
前記背受部における前記腰受部側に対向する端部に、前記ハンガーにおける前記支持部材が挿入され、該背受部が、前記支持部材に貫入された状態で該支持部材を保持可能な保持部材を備えたことを特徴とするハンガー付椅子。
【請求項２】
支持部材が、背受部における、腰受部側端と、腰受部側の対向側端との略中間位置まで挿入された請求項１に記載のハンガー付椅子。
【請求項３】
背受部が、着席者の背中と当接する当接側部材と、該当接側部材と接合可能な非当接側部材を有してなり、
保持部材が、前記当接側部材及び前記非当接側部材にそれぞれ設けられ、
該当接側部材に設けられた保持部材及び該非当接側部材に設けられた保持部材が、支持部材に同時に貫入された請求項１から２のいずれかに記載のハンガー付椅子。
【請求項４】
保持部材が、支持部材を昇降可能に保持する請求項１から３のいずれかに記載のハンガー付椅子。
【請求項５】
背受部における、腰受部側端の対向側端に、支持部材を挿入可能な切欠き部を有する請求項１から４のいずれかに記載のハンガー付椅子。
【発明の詳細な説明】
【技術分野】
【０００１】
本発明は、椅子の背受部に衣類用のハンガーを備えたハンガー付椅子に関する。
【背景技術】
【０００２】
椅子の背受部に衣類用ハンガーが備えられたハンガー付椅子が、従来より、多数提案されてきており、例えば、背受部の裏側にハンガー保持部材を設けた外付け型、背受部の内部にハンガー保持部材を収納した収納型などの構造を有するものが多数提案されている。
前記外付け型としては、ハンガーが背受部の裏側に固着された固着タイプ、ハンガーが上下にスライド可能に背受部裏側に保持されたスライドタイプ（特許文献１〜４参照）、などが知られている。このスライドタイプとしては、図１３に示すように、衣類掛用部材８２及び支持部材８５からなるハンガー８０と、背受部１００の裏側に取付けられたハンガーの保持部材９０とにより形成され、ハンガー８０は上下にスライドでき、ハンガー８０は適当な位置で保持されるようになっている。しかし、前記外付け型の場合、外観を損ない、ハンガーに加わる外力に対して機械的強度が弱いという問題がある。
また、前記収納型としては、ハンガーが背受部に固着した固着タイプ（特許文献５参照）、ハンガーが上下にスライドできるスライドタイプ（特許文献６参照）、などが知られている。しかし、前記固着タイプの場合、保持構造が複雑であり、高く突出したハンガーをスライドさせることができないという問題がある。また、前記スライドタイプの場合、上下のスライド機構が複雑になってしまうという問題がある。
【０００３】
【特許文献１】実開平６−１５５５３号公報
【特許文献２】実開平５−９３５２号公報
【特許文献３】実開平４−３２１３７号公報
【特許文献４】特開平８−２４３００５号公報
【特許文献５】特開平１１−２５３２７４号公報
【特許文献６】実開平７−１１９６０号公報
【発明の開示】
【発明が解決しようとする課題】
【０００４】
本発明は、従来における諸問題を解決し、以下の目的を達成することを課題とする。即ち、本発明は、ハンガーの昇降機能を椅子の背もたれ部分の内部に設けることができ、構造が簡単であり、取扱性に優れ、しかも機械的強度に優れたハンガー付椅子を提供することを目的とする。
【課題を解決するための手段】
【０００５】
前記課題を解決するための手段としては、以下の通りである。即ち、
＜１＞  腰受部と背受部とを少なくとも有する椅子本体と、衣類掛用の衣類掛用部材と、該衣類掛用部材を支持可能な支持部材とを有してなるハンガーとを有してなり、前記背受部における前記腰受部側に対向する端部に、前記ハンガーにおける前記支持部材が挿入され、該背受部が、前記支持部材に貫入された状態で該支持部材を保持可能な保持部材を備えたことを特徴とするハンガー付椅子である。
該ハンガー付椅子においては、前記ハンガーにおける前記支持部材が、前記椅子本体の前記背受部における前記腰受部側（下側）に対向する端部（上側）から、該背受部の内部に挿入されている。このため、前記ハンガーが前記椅子本体よりも上方に位置し、該ハンガーにおける前記衣類掛用部材に背広等を掛けると、適度な高さが確保される。また、前記ハンガーにおける前記支持部材を保持可能な保持部材が、前記背受部の内部に設けられているので、外観性に優れると共に外観を含む構造が簡単で、故障が生じ難い。また、前記背受部の内部に該背受部と一体的に前記保持部材が設けられているので、該背受部及び該保持部材は機械的強度に優れ、前記ハンガーにおける前記衣類掛用部材に外力が加えられると、この外力は、前記衣類掛用部材から前記支持部材に伝達され、該支持部材から前記保持部材に伝達され、前記背受部の内部に設けられた前記保持部材により、該背受部全体で吸収され、該背受部の局所的に過大な応力が加わらず、応力集中による破損等が生じ難い。
＜２＞  ハンガーが、支持部材を複数有してなる前記＜１＞に記載のハンガー付椅子である。
該ハンガー付椅子においては、ハンガーが前記支持部材を軸にして回転方向に外力が加えられた際に、前記衣類掛用部材を支持する前記支持部材が複数あるので、該支持部材が回転し、それに伴って前記衣類掛用部材が回転してしまうことがなく、衣類掛用部材の位置乃至向きが安定に維持される。また、ハンガーが前記支持部材を軸にして回転方向に外力が加えられた際の、該応力が１つの支持体ではなく、複数の支持体に加えられるので、応力が分散し、故障が少ない。
＜３＞  一の支持部材が、他の支持部材よりも長い前記＜１＞から＜２＞のいずれかに記載のハンガー付椅子である。
該ハンガー付椅子においては、前記一の支持部材と前記他の支持部材の長さが異なっているため、前記保持部材を、前記衣類掛用部材が所定の向きのときだけ、前記支持部材を保持可能に設計しておけば、前記衣類掛用部材を所定の向きではなく、該所定の向きとは逆向きにして前記背受部に挿入しようとしても、前記保持部材の一つが前記支持部材を支持不能となる。このため、操作者において、前記衣類掛用部材の向きが逆向きであることが容易に判別され、誤挿入が防止される。
＜４＞  支持部材が、衣類掛用部材と略直交方向に配置され、かつ該衣類掛用部材を支持可能である前記＜１＞から＜３＞のいずれかに記載のハンガー付椅子である。
該ハンガー付椅子においては、前記支持部材の前記背受部内への挿入の度合いによって前記衣類掛用部材の昇降が調整される。
＜５＞  支持部材が、背受部における、腰受部側端と、腰受部側の対向側端との略中間位置まで挿入された前記＜１＞から＜４＞のいずれかに記載のハンガー付椅子である。
該ハンガー付椅子においては、前記ハンガーにおける前記支持部材が、前記背受部における前記腰受部側（下側）の対向側端（上側）から略半分の位置まで挿入されていると、該支持部材が前記背受部の補強材として機能する結果、該背受部の機械的強度が大幅に増強され、大きな衝撃や外力が前記背受部に加えられたとしても、該背受部が故障することがない。また、一般に多くの椅子は、人間工学的に設計されており、前記背受部において、着席者の臀部側（下側）から腰部付近（略中央部）にかけては着席者側に前記背受部がやや傾き、着席者の腰部付近（略中央部）から肩部付近（上側）にかけては着席者側とは反対側に前記背受部が直線状にやや傾斜している。このため、前記背受部における前記肩部付近（上側）から前記腰部付近（略中央部）にかけては、前記ハンガーにおける前記支持部材は、容易に挿入され、昇降可能とされる。
＜６＞  支持部材が、略丸棒状及び略平板状から選択される前記＜１＞から＜５＞のいずれかに記載のハンガー付椅子である。
該ハンガー付椅子においては、前記支持部材が略丸棒状又は略平板状であるので、前記背受部内への挿入が容易である。
＜７＞  支持部材が、背受部に装着された際に露出する部分の根元部が屈曲した前記＜１＞から＜６＞のいずれかに記載のハンガー付椅子である。
該ハンガー付椅子においては、前記背受部から露出する前記支持部材の前記根元部（前記背受部側）が、屈曲しているため、該支持部材は、該根元部までしか前記背受部に挿入することができず、その結果、該根元部が前記支持部材の前記背受部への挿入のストッパーとして機能する。また、屈曲した前記根元部により、該支持部材に支持された前記衣類掛用部材の位置を所望の位置に調整可能となる。
＜８＞  背受部が、着席者の背中と当接する当接側部材と、該当接側部材と接合可能な非当接側部材を有する前記＜１＞から＜７＞のいずれかに記載のハンガー付椅子である。
該ハンガー付椅子においては、前記背受部が、着席者の背中と当接する当接側部材（多くはクッション付部材）と、該当接側部材と接合可能な非当接側部材（背面カバー部材）とで接合形成されているため、該背受部は、分解、組立が容易である。また、前記保持部材を、前記当接側部材、前記非当接側部材のいずれにも形成可能である。
＜９＞  保持部材が、当接側部材及び非当接側部材にそれぞれ設けられ、該当接側部材に設けられた保持部材及び該非当接側部材に設けられた保持部材が、支持部材に同時に貫入された前記＜１＞から＜８＞のいずれかに記載のハンガー付椅子である。
該ハンガー付椅子においては、前記保持部材が、前記当接側部材（多くはクッション付部材）及び前記非当接側部材（背面カバー部材）のそれぞれに形成されていると、前記支持部材が前記背受部に貫入された際に、該支持部材によって前記当接側部材及び前記非当接側部材が同時に貫入され、一体化される結果、該当接側部材と該非当接側部材とが接合されて形成される前記背受部の強度が大幅に向上される。
＜１０＞  保持部材が、支持部材を昇降可能に保持する前記＜１＞から＜９＞のいずれかに記載のハンガー付椅子である。
該ハンガー付椅子においては、前記保持部材が、前記支持部材に貫入された状態で該支持部材を昇降可能に保持しており、前記支持部材を前記腰受部側（下側）と反対方向（上方）に引くと、前記支持部材に支持された前記衣類掛用部材の位置を上昇させることができ、一方、前記支持部材を前記腰受部側（下側）に押すと、前記支持部材に支持された前記衣類掛用部材の位置を降下させることができる。このため、着席者の身長等に応じて前記衣類掛用部材を所望の位置に昇降させることができ、所望の高さで衣類を前記衣類掛用部材に掛けることができ、衣類が地面に接してしまうことを防止することができる。
＜１１＞  保持部材が、支持部材の支持位置を多段階（不連続的）に変化可能である前記＜１＞から＜１０＞のいずれかに記載のハンガー付椅子である。
該ハンガー付椅子においては、前記保持部材が、前記支持部材を多段階（不連続的）に昇降させて支持可能であり、例えば、前記保持部材が、ラチェット機構により前記支持部材を支持可能であると、前記支持部材が前記保持部材に設けられたラチェット機構に噛み合い、前記支持部材の昇降が、段階的に一定間隔でその位置が変化される。なお、前記多段階が二段階である場合には、前記支持部材の昇降差が最大になるように設計可能であり、この場合、使用時と不使用時とを区別可能である。
＜１２＞  背受部における、腰受部側端の対向側端に、支持部材を挿入可能な切欠き部を有する前記＜１＞から＜１１＞のいずれかに記載のハンガー付椅子である。
該ハンガー付椅子においては、前記背受部における前記腰受部側端（下側）の対向側端（上側）に、前記支持部材を挿入可能な切欠き部が形成されており、前記支持部材を該切欠き部から前記背受部の内部に挿入させることができる。また、前記支持部材を挿入可能とするための特別な構造が不要であるので、構造が簡単である。
＜１３＞  切欠き部が、支持部材を付勢可能な弾性部材を有する前記＜１２＞に記載のハンガー付椅子である。
該ハンガー付椅子においては、前記弾性部材（例えば、板バネなど）が設けられている結果、前記支持部材は、前記背受部に挿入されると前記弾性部材に付勢される結果、前記支持部材は、前記背受部から脱落することが防止される。また、前記弾性部材による前記支持部材に対す付勢力を適宜調整することが可能であり、前記支持部材を前記背受部内において連続的に昇降させ、所望の位置に前記支持部材を保持させることができる。また、前記弾性部材が前記切欠き部に設けておくと、該弾性部材を、前記支持部材が前記背受部に挿入されるまでの間、前記背受部の内部の目隠しとして機能させることもできる。
＜１４＞  背受部が、支持部材の先端部を収容可能な先端部収容部材を備えた前記＜１３＞に記載のハンガー付椅子である。
該ハンガー付椅子においては、前記支持部材の先端部を収容可能な先端部収容部材（前記背受部内において前記保持部材よりも下側に配置される）が形成されていると、前記支持部材を挿入する際、前記支持部材の先端が前記先端部収容部材に当接すると、それ以上、該支持部材は前記背受部内に挿入されることがなく、該先端部収容部材は、前記支持部材の挿入の際のストッパーとして機能する。また、前記先端部収容部材が設けられていると、前記支持部材を前記保持部材と該先端部収容部材との２部材で支持することができる結果、前記支持部材を安定に支持することができ、また、前記支持部材から前記保持部材に伝達される応力（外力）が効率よく分散される。このため、故障等が生じ難い。
＜１５＞  先端収容部材が、支持部材を固定可能な結合手段を有する前記＜１４＞に記載のハンガー付椅子である。
該ハンガー付椅子においては、前記支持部材が、ねじ等の前記結合手段により前記先端部収容部材に固定されるため、該結合手段により結合すれば、前記支持部材は前記先端部収容部材から脱落することなく、安定に前記背受部内に位置し、前記結合手段による結合を解けば、前記支持部材は自由に昇降可能となり、該支持部材を前記背受部から取り外すこと等が可能となる。
＜１６＞  衣類掛用部材が、背受部における当接側部材側から離れて位置した時、及び該背受部における当接側部材側に位置した時に、該背受部に略平行に位置し、前記背受部における当接側部材側から離れて位置した時に衣類掛用として用いられ、前記背受部における当接側部材側に位置した時にヘッドレスト用として用いられる前記＜１＞から＜１５＞のいずれかに記載のハンガー付椅子である。
該ハンガー付椅子においては、前記支持部材に前記根元部が形成されている場合（屈曲している場合）や、前記衣類掛用部材が湾曲等していて直線状ではない場合などにおいては、前記衣類掛用部材の向きによって、該衣類掛用部材が着席者側に位置したり、着席者から離れて位置したりする。このため、例えば、前記衣類掛用部材が着席者から離れて位置している場合に、該衣類掛用部材を衣類掛けに使用し、前記衣類掛用部材が着席者側に位置している場合に、該衣類掛用部材をヘッドレスト等として使用することができる。
＜１７＞  衣類掛用部材が、両端に球状部を有する前記＜１＞から＜１６＞のいずれかに記載のハンガー付椅子である。
該ハンガー付椅子においては、前記衣類掛用部材が、両端に球状部を有しているため、衣類が掛けられた際、該衣類掛用部材からズリ落ちることがなく、衣類の型崩れが生ずることがなく、また、衣類を掛けない時でも安全である。
【発明の効果】
【０００６】
本発明によると、従来における諸問題を解決することができ、ハンガーの昇降機能を椅子の背もたれ部分の内部に設けることができ、構造が簡単であり、取扱性に優れ、しかも機械的強度に優れたハンガー付椅子を提供することができる。
【発明を実施するための最良の形態】
【０００７】
本発明のハンガー付椅子は、椅子本体と、ハンガーとを有してなる。
【０００８】
―ハンガー―
前記ハンガーは、衣類掛用部材と、支持部材とを有してなり、更に必要に応じて適宜選択されるその他の部品とにより形成される。
【０００９】
――衣類掛用部材――
前記衣類掛用部材としては、衣類を掛けることができる機能を有する限り特に制限はなく、目的に応じてその形状、構造、大きさ、材料等について適宜選択することができ、例えば、パイプ材、丸棒、角棒、ワイヤー、板材などに設計することができる。
【００１０】
前記衣類掛用部材の形状としては、衣類等に損傷や変形が生じないものであれば特に制限はなく、目的に応じて適宜選択することができ、例えば、厚み方向の断面が円、楕円、三角形、四角形、多角形など任意の形状からなる線状、棒状、板状などが挙げられ、これらは、直線状、曲線状、折線状、これらの組合せ形状、などのいずれであってもよい。これらの中でも、衣類、特に背広やコート類を掛ける際に、これらが型崩れしない直線状乃至円弧状であるのが好ましい。
また、前記衣類掛用部材の表面の形状としては、特に制限はなく、目的に応じて適宜選択することができ、例えば、凹凸状、平滑面状、粗面状、などが挙げられる。
【００１１】
前記衣類掛用部材の構造としては、特に制限はなく、目的に応じて適宜選択することができ、例えば、１種単独で形成されていてもよいし、２種以上の部材で形成されていてもよい。
【００１２】
前記衣類掛用部材の大きさとしては、衣類等を掛けることができれば特に制限はなく、目的に応じて適宜選択することができ、例えば、横幅としては、前記椅子本体の背受部の横幅と略同程度かやや小さいものが好ましい。
前記衣類掛用部材の大きさ（長さ）が、前記背受部よりも大きいと、前記背受部から横にはみ出している部分が邪魔等になることがあり、前記背受部よりも小さすぎると、衣類等が掛け難くなり、操作性、取扱性に劣ることがある。
【００１３】
前記衣類掛用部材の幅としては、特に制限はなく、目的に応じて適宜選択することができ、例えば、５〜３００ｍｍ程度であり、１０〜２００ｍｍが好ましく、該衣類掛用部材が丸棒等の棒材である場合には、その直径としては、５〜３０ｍｍ程度であり、１０〜２０ｍｍが好ましい。
前記衣類掛用部材の幅乃至直径が、大きすぎると、邪魔になり、外観上も好ましくなく、前記椅子本体への負荷が多くなりすぎ、一方、小さすぎると、機械的強度に欠けることがある。
【００１４】
前記衣類掛用部材の材料としては、衣類等を掛ける機械的強度があれば特に制限はなく、目的に応じて適宜選択することができ、例えば、金属、プラスチック、ゴム、などが挙げられる。
前記金属としては、加工性のよいものが好ましく、例えば、鉄、アルミニウム、黄銅、銅、ステンレススチール、などが挙げられる。これらは、１種単独で使用してもよいし、２種以上を併用してもよい。
前記プラスチックとしては、成形性が良好なものが好ましく、例えば、ポリオレフィン樹脂（ポリエチレン樹脂、ポリプロピレン樹脂など）、ポリスチレン樹脂、ポリカーボネート樹脂、ＡＢＳ樹脂、ポリ塩化ビニル樹脂、ナイロン樹脂、アルキッド樹脂、ポリエステル樹脂（ポリエチレンテレフタレート樹脂、ポリブチレンテレフタレート樹脂など）、フッ素系樹脂（ポリテトラフルオロエチレン樹脂など）、シリコーン系樹脂、などが挙げられる。これらは、１種単独で使用してもよいし、２種以上を併用してもよい。これらの中でも、環境性に優れるものが好ましく、ポリオレフィン樹脂、ナイロン樹脂などが好ましい。
なお、前記プラスチックを使用する場合には、前記プラスチックに各種の単繊維（ガラス繊維、カーボン繊維など）、充填材（炭酸カルシウム、タルク、マイカ、クレー、カーボンナノチューブ、フラーレンなど）等を配合して、各種の強化樹脂等として使用してもよい。
前記ゴムとしては、例えば、天然ゴム、合成ゴムなどが挙げられる。
【００１５】
前記衣類掛用部材の製造方法としては、特に制限はなく、目的に応じて適宜選択することができ、例えば、金型成型、射出成型、圧縮成型、注型成型等の各種の成型法、抜き型によりカットする方法、などが挙げられる。
【００１６】
――支持部材――
前記支持部材としては、前記衣類掛用部材を支持する機能を有する限り特に制限はなく、目的に応じてその形状、構造、大きさ、材料等について適宜選択することができる。
前記支持部材の形状としては、機械的強度に優れ、後述する背受部における保持部材によって保持可能であれば特に制限はなく、目的に応じて適宜選択することができ、例えば、厚み方向の断面が円、楕円、三角形、四角形、多角形など任意の形状からなる棒状、パイプ状、板状などが挙げられ、これらは、直線状、曲線状などに設計されるが、円弧状に設計されるのが好ましい。
また、前記支持部材の表面の形状としては、特に制限はなく、目的に応じて適宜選択することができ、例えば、凹凸状、平滑面状、粗面状、などが挙げられる。
【００１７】
前記支持部材の構造としては、特に制限はなく、目的に応じて適宜選択することができ、例えば、１種単独の部材で形成されていてもよいし、２種の部材で形成されていてもよい。
前記支持部材の材料としては、特に制限はなく、目的に応じて適宜選択することができ、例えば、前記衣類掛用部材の材料において説明したものと同様のものが挙げられる。なお、前記支持部材の材料は、前記衣類掛用部材の材料と同じであってもよいし、異なっていてもよい。
【００１８】
前記支持部材の大きさとしては、前記背受部に挿入可能であれば特に制限はなく、前記衣類掛用部材の大きさ等に応じて適宜選択することができ、例えば、丸棒などの棒材である場合には、その直径としては、５〜１５ｍｍ程度であり、８〜１２ｍｍが好ましく、板材である場合には、横幅が２０〜１５０ｍｍ程度であり、３０〜１００ｍｍが好ましい。
【００１９】
前記支持部材の数としては、機械的強度が確保されれば、特に制限はなく、目的に応じて適宜選択することができ、１つであってもよいし、２以上（複数）であってもよい。
前記支持部材の数が、２以上（複数）である場合、前記ハンガーが前記支持部材を軸にして回転方向に外力が加えられた際に、該支持部材が回転し、それに伴って前記衣類掛用部材が回転してしまうことがなく、衣類掛用部材の位置乃至向きが安定に維持することができ、前記ハンガーが前記支持部材を軸にして回転方向に外力が加えられた際の該応力が複数の支持体に加えられるので、応力を分散させることができる点で有利である。
【００２０】
前記支持部材の製造方法としては、特に制限はなく、目的に応じて適宜選択することができ、例えば、金型成型、射出成型、圧縮成型、注型成型等の各種の成型法、抜き型によりカットする方法、などが挙げられる。
【００２１】
前記支持部材は、前記衣類掛用部材を支持するに際し、該衣類掛用部材と分離不可能に一体化されていてもよいし、該衣類掛用部材と分離可能に設計されていてもよい。
前者の場合の前記支持部材と前記衣類掛用部材との接合としては、例えば、嵌合、螺合、結合手段による結合（螺子、リベット、ボルトとナットなど）、などが挙げられる。
後者の場合の前記支持部材と前記衣類掛用部材との接合としては、例えば、溶接、接着剤による接合、溶着、などが挙げられる。
前記支持部材と、該支持部材に接合された前記衣類掛用部材に対しては表面処理を行ってもよく、該表面処理としては、例えば、メッキ、陽極酸化処理、塗装、研磨仕上げなどが挙げられる。
【００２２】
―その他の部品―
前記その他の部品としては、特に制限はなく、目的に応じて適宜選択することができ例えば、前記衣類掛用部材の両端に嵌め込むキャップ、前記衣類掛用部材を覆うカバーなどが挙げられる。
【００２３】
―椅子本体―
前記椅子本体は、腰受部と背受部とを少なくとも有してなり、更に必要に応じて適宜選択したその他の部材、例えば、肘掛、脚用ローラ、などを有してなる。本発明においては、内部に後述する保持部材を設けることが可能なものであれば、公知の椅子を前記椅子本体として使用してもよい。
【００２４】
――背受部――
前記背受部としては、特に制限はなく、目的に応じてその形状、構造、大きさ、材料、数等について適宜選択することができる。
前記背受部の形状としては、着席者の背中を支え、背中から加えられる力に耐えることができる形状であれば特に制限はなく、着席者の背受面は人間工学的に人の背中の形状に対応した形状であるのが好ましく、例えば、上部の左右が滑らかな円弧状に形成され、背中を支持する面が中心部の凹みが最大となるように滑らかに湾曲した形状、などが挙げられる。
【００２５】
前記背受部の構造としては、単独の部材で形成された構造であってもよいし、２以上の部材で形成された構造であってもよいが、着席者と当接する当接側部材と、該当接側部材と接合される非当接側部材とで形成された構造が好ましい。
前記当接側部材と前記非当接側部材とで形成された構造の場合、両者の接合面に後述する保持部材、先端部収容部材、などを設けることができ、また、メインテナンス等が容易な点で有利である。
前記当接側部材としては、例えば、着席者の背受面と、該背受面を支持する背受面支持部材とを有してなるもの、などが挙げられる。前記背受面としては、例えば、クッション等の弾性乃至緩衝性部材で形成されているのが好ましく、前記背受面支持部材としては、前記クッション等がズレないように固定可能であり、機械的強度に優れるものが好ましい。
前記非当接側部材としては、例えば、前記当接側部材を支持し、機械的強度を担保する当接側部材支持部材と、該当接側部材支持部材を覆い、着席者に対して背面に位置される背面カバーとを有してなるもの、などが挙げられる。
前記当接側部材と前記非当接側部材との接合は、例えば、嵌合、係合、結合手段による結合（螺子、ボルトとナット、リベットなど）、接着剤による接着、などが挙げられる。
【００２６】
前記背受部の大きさとしては、例えば、着席者の背中の大部分の面積と当接可能であってもよいし、着席者の背中の一部の面積のみと当接可能であってもよい。
前記背受部の材料としては、例えば、機械的強度に優れるものであるものが好ましく、上述したプラスチック、上述した金属、合金などの中から適宜選択することができ、着席者の背中と当接する部分については、軟質の材料、ゴム、布、皮革、これらを含むクッション（スポンジ、発砲樹脂、ゴム、エラストマーなどで形成されたもの）、木材（合板を含む）、などで形成されているのが好ましい。
【００２７】
前記背受部の数としては、特に制限はなく、目的に応じて適宜選択することができ、例えば、１つであってもよいし、２以上であってもよく、後者の場合には、例えば、腰部付近に当接するものと、その上方に位置し肩部近傍に当接するものとで構成されていてもよい。
【００２８】
前記背受部の製造方法としては、特に制限はなく、目的に応じて適宜選択することができ、例えば、金型成型、射出成型、圧縮成型、注型成型等の各種の成型法、あるいはこれらの方法により得た各部品を組み立てる方法、などが挙げられる。
【００２９】
―――保持部材―――
前記背受部は、その内部に前記支持部材が貫入された状態で該支持部材を保持可能な保持部材を有する。
前記保持部材は、前記背受部の内部に設けられるが、その位置としては、特に制限はなく、目的に応じて適宜選択することができるが、例えば、前記背受部における腰受部側（下側）に対向端側（反対側に位置する側）、即ち前記背受部の上側に位置しているのが好ましい。
この場合、前記背受部における前記支持部材が挿入される、後述する切欠き部にかかる応力を該保持部材が緩衝させることができ、故障等が生じ難い有利である。
【００３０】
前記保持部材は、前記背受部の内部に設けられるが、該背受部が２以上の部材で形成された構造を有する場合には、例えば、前記当接側部材と前記非当接側部材とで形成されている場合には、前記当接側部材側に設けられていてもよいし、前記非当接部材側に設けられていてもよく、両方に設けられていてもよい。
前記保持部材が、前記当接側部材と前記非当接側部材との両方に設けられている場合には、該ハンガー付椅子においては、該支持部材によって前記当接側部材及び前記非当接側部材が同時に貫入され、一体化させることができる結果、前記背受部の強度が大幅に向上させることができる点で有利である。
前記保持部材は、前記背受部の数が複数（２以上）である場合には、最上位に位置する前記背受部に設けられているのが好ましい。
【００３１】
前記保持部材は、前記背受部に一体的に形成されていてもよいし、取外し可能に形成されていてもよい。前者の場合には、前記背受部を成型等により製造する際に同時に該保持部材を形成することができ、後者の場合には、前記背受部を製造した後に、該保持部材を接着剤、結合手段（螺子等）などを用いて該背受部に装着させることができる。
【００３２】
前記保持部材としては、前記支持部材に貫入された状態で該支持部材を保持可能であれば特に制限はなく、その形状、構造、大きさ、材料等について適宜選択することができる。
【００３３】
前記保持部材の形状としては、例えば、貫通孔が形成されており、該貫通孔の形状が前記支持部材の長さ方向に直交方向の断面形状に対応する形状であるのが好ましく、それ以外の形状、例えば、外観形状については特に制限はなく、目的に応じて適宜選択することができる。なお、前記貫通孔の周囲は、厚肉に形成されているのが、機械的強度の観点からは好ましい。
【００３４】
前記保持部材の構造としては、前記支持部材を昇降可能に保持することができれば特に制限はなく、目的に応じて適宜選択することができるが、このように前記支持部材を昇降可能に保持可能な構造としては、前記支持部材の支持位置を多段階（不連続的）に変化可能に保持する不連続昇降構造、前記支持部材の支持位置を連続的に変化可能に保持する連続昇降構造、などが好適に挙げられる。
【００３５】
前記不連続昇降構造としては、少なくとも２段階に前記支持部材の位置を昇降させることができればよく、前記支持部材の位置を短い距離で複数段階に調節可能とした場合には、利便性に富むものとすることができる。
前記不連続昇降構造としては、例えば、ラチェット機構構造などが挙げられる。前記保持部材が、該ラチェット機構構造を有すると、前記支持部材が前記保持部材に設けられたラチェット機構に噛み合い、前記支持部材の昇降が、段階的に一定間隔でその位置を変化させることができる。
前記ラチェット機構構造としては、例えば、前記保持部材における前記貫通孔の内周側面に滑らかな凸部を設け、前記支持部材にこの凸部と係合可能な凹部を設けたもの、などが挙げられる。
前記連続昇降構造としては、例えば、前記支持部材の周側面と前記保持部材の内側面とに適度な摩擦を生ずるよう、前記支持部材及び前記保持部材の接触部分に圧力が加わるようにしたもの、などが挙げられる。
【００３６】
―――先端部収容部材―――
前記背受部は、その内部に貫入された前記支持部材の先端を収容し、保持する先端部収容部材を有しているのが好ましい。
前記先端部収容部材としては、前記支持部材の先端を収容し、保持可能であれば特に制限はなく、その形状、構造、大きさ、材料、数等について適宜選択することができる。なお、該先端部収容部材は、通常、前記保持部材よりも下方（腰受部側）に設けられる。
【００３７】
前記先端部収容部材は、前記背受部に一体的に形成されていてもよいし、取外し可能に形成されていてもよい。前者の場合には、前記背受部を成型等により製造する際に同時に該保持部材を形成することができ、後者の場合には、前記背受部を製造した後に、該保持部材を接着剤、結合手段（螺子等）などを用いて該背受部に装着させることができる。
【００３８】
前記先端部収容部材の形状としては、例えば、穴部が形成されており、該穴部の形状が前記支持部材の先端部の断面形状に対応する形状であるのが好ましく、それ以外の形状、例えば外観形状については特に制限はなく、目的に応じて適宜選択することができる。なお、前記穴部の周囲は、厚肉に形成されているのが、機械的強度の観点からは好ましい。
前記先端部収容部材には、前記支持部材の先端部を固定するための、結合手段（ねじ等）が設けられていてもよい。
【００３９】
―――切欠き部―――
前記切欠き部は、前記支持部材に貫入される切欠き部が前記背受部に設けられているのが好ましい。該切欠き部が前記背受部に設けられていると、前記支持部材の挿入が容易な点で有利である。
前記切欠き部としては、その形状、構造、大きさ、材料、数等については、特に制限はなく、前記支持部材に応じて適宜選択することができる。
前記切欠き部が設けられる位置としては、例えば、前記背受部の上側が好ましい。
前記切欠き部の具体例としては、貫通孔などが挙げられる。
前記切欠き部には、例えば、支持部材を付勢可能な弾性部材が設けられているのが好ましい。この場合、前記支持部材が、前記背受部に挿入されると前記弾性部材に付勢される結果、前記支持部材を前記背受部から脱落することを防止することができる点で有利である。また、前記弾性部材による前記支持部材に対す付勢力を適宜調整することにより、前記支持部材を前記背受部内において連続的に昇降させ、所望の位置に前記支持部材を保持させることもでき、また、前記弾性部材が前記切欠き部に設けられていると、該弾性部材を、前記支持部材が前記背受部に挿入されるまでの間、前記背受部の内部の目隠しとして使用することもできる点で有利である。
前記弾性部材としては、特に制限はなく、目的に応じて適宜選択することができ、例えば、板ばね、コイルばねなどが挙げられる。これらの中でも、構造が簡単で容易に形成することができる板ばねが好ましい。前記板ばねは、前記当接側部材と一体に成型することができる。なお、前記板ばねは、使用しない場合には、折り曲げて除去することもできる。
【００４０】
――腰受部――
前記腰受部としては、特に制限はなく、目的に応じてその形状、構造、大きさ、材料、数、製造方法等について、公知のものの中から適宜選択することができる。
前記腰受部の形状としては、着席者の臀部乃至腰部を支え、着席者の体重に耐えることができる形状であれば特に制限はなく、着席者の着席面は人間工学的に人の臀部の形状に対応した形状であるのが好ましい。
【００４１】
前記腰受部の構造としては、単独の部材で形成された構造であってもよいし、２以上の部材で形成された構造であってもよい。
前記腰受部には、通常、脚部が接続されるが、該脚部の形状、構造、大きさ、材料、数等としては、特に制限はなく、公知のものの中から適宜選択することができる。また、前記脚部には、移動を容易にするためのローラ等を有していてもよい。
【００４２】
本発明のハンガー付椅子は、前記椅子本体と、前記ハンガーとを有するが、前記ハンガーについては、使用時まで取り外しておくことができ、また、前記椅子本体も運搬時等においては、前記背受部と前記腰受部とを別々に分解しておき、必要に応じて組み立てて使用することができる。
また、本発明のハンガー付椅子においては、前記ハンガーにおける前記支持部材が、前記椅子本体の前記背受部における前記腰受部側（下側）に対向する端部（上側）から、該背受部の内部に挿入されている。このため、前記ハンガーが前記椅子本体よりも上方に位置し、該ハンガーにおける前記衣類掛用部材に背広等を掛けると、適度な高さが確保される。また、前記ハンガーにおける前記支持部材を保持可能な保持部材が、前記背受部の内部に設けられているので、外観性に優れると共に外観を含む構造が簡単で、故障が生じ難い。また、前記背受部の内部に該背受部と一体的に前記保持部材が設けられているので、該背受部及び該保持部材は機械的強度に優れ、前記ハンガーにおける前記衣類掛用部材に外力が加えられると、この外力は、前記衣類掛用部材から前記支持部材に伝達され、該支持部材から前記保持部材に伝達され、前記背受部の内部に設けられた前記保持部材により、該背受部全体で吸収され、該背受部の局所的に過大な応力が加わらず、応力集中による破損等が生じ難い。
【実施例】
【００４３】
以下、本発明の実施例について、説明するが、本発明はこれらの実施例に何ら限定されるものではない。
【００４４】
（実施例１）
図１は本発明のハンガー付椅子の斜視図、図２は本発明のハンガー付椅子に背広を掛けた状態の正面図である。
図１に示すように、実施例１のハンガー付椅子は、ハンガー２が背受部２０の腰受部７０の反対側（背受部２０の上部）に装着され、矢印方向に摺動でき、着脱自在に形成された例である。衣類の大きさなどに応じて好適な高さに調節することができ、図２は、ハンガー２に背広５０を掛けた例である。
【００４５】
―ハンガーの製作―
図３は本発明のハンガー付椅子の背面斜視図、図４は本発明のハンガー付椅子の保持部材を示す分解斜視図、図５は本発明のハンガーの側面図である。
図３に示すように、ハンガー２は、当接側部材３０及び非当接側部材４０からなる背受部２０の切欠き部３７及び切欠き部３７ａから挿入するようになっている。ハンガー２は、図４及び図５に示すように、衣類掛用部材５、支持部材７、支持部材７ａ、キャップ６及びキャップ６ａにより作製した。
【００４６】
―衣類掛用部材―
図６は本発明のハンガーの平面図である。図６に示すように、衣類掛用部材５は、鉄パイプ（ＳＴＫＭ）φ１９．１ｍｍ、厚みｔ１．６を曲率半径Ｒ５００ｍｍで曲げ加工し、曲げ加工後、長さ４２０ｍｍになるように両端末を切断し、１ｍｍの面取り加工によりバリなどを除去して作製した。さらに、支持部材７及び支持部材７ａの端部を挿入するための丸穴φ１０．５ｍｍを、衣類掛用部材５の長手方向の中心から各々５０ｍｍ離れた位置に貫通しないように形成しバリなどを除去した。衣類掛用部材５は、曲率半径Ｒ５００ｍｍという比較的大きな円弧で形成してあるので背広などを掛けた際に型崩れは生じにくい。
【００４７】
――支持部材――
図５に示すように、支持部材７は、丸鋼（ＳＷＣＨ８Ｒ）φ１０ｍｍを、先端から約９０ｍｍの位置において曲率半径Ｒ５ｍｍで反時計方向に約５０度折曲げ、該折曲げ位置から約４０ｍｍ離れた位置において、曲率半径Ｒ５ｍｍで時計方向に１５度折曲げ、該折曲げ位置から９７ｍｍの位置で切断し、該端部を２ｍｍの面取り加工によりバリなどを除去して作製した。
更に先端部分から３０ｍｍの位置に幅２０ｍｍ、深さ２ｍｍの円弧状の溝を形成した。この溝は、図４に示す先端部収容部材３３にねじなどの結合部材により前記支持部材が固定がされた場合に上下にずれないようにするための溝である。前記５０度及び１５度の各折曲げを設けたのは、図５に示すように、背受部２０がハンガー付椅子１の後方に傾斜しているので、この傾斜角に沿って昇降できるように形成したものである。
前記最初の５０度の折曲げ部は、ハンガー２を背受部２０に挿入した際に、切欠き部３７に当接し、それ以上背受部２０に入り込まないようストッパーとしても機能する。
以上のように形成することにより支持部材７の全体の長さは、約２１０ｍｍ、奥行きは約１０４ｍｍとなる。支持部材７ａは支持部材７と同一であり、支持部材７を２本作製した。
【００４８】
――衣類掛用部材と支持部材との接合――
図４及び図５に示すように、支持部材７及び７ａの先端部を衣類掛用部材５に設けた丸穴に各々挿入し、衣類掛用部材５の外周面と支持部材７及び７ａとの各当接部分の全周をアーク溶接により接合した。
【００４９】
――表面処理――
以上のように形成したハンガー２を防蝕のため亜鉛メッキを施し、グレーの塗装を施した。
【００５０】
――キャップの製作及び取付――
キャップ６及び６ａは、ハンガー２の保護キャップとして機能する。実施例１では、キャップ６及び６ａは、ポリエチレン（ＰＥ）を材料として、直径３０ｍｍの球の一箇所に、直径１８．５ｍｍの丸穴を深さ１５ｍｍで形成したもので、金型による射出成型により作製した。
キャップ６及び６ａは、前記穴の部分を衣類掛用部材５の端部への圧入により取り付けた。キャップ６及び６ａはポリエチレンを用いているので弾力性があり、簡単には脱落することはない。衣類掛用部材５の両端部はキャップ６及び６ａを取り付けたことにより、球状でソフトなため、衣類等のずれを防止でき落下せずにしっかり掛けることができる。また衣類等に損傷のおそれはなく、使用しないときも安全で、外観上も好ましい    
【００５１】
―背受部の製作―
本発明に係る背受部２０は、図４に示すように、背中を支える側の当接側部材３０及び裏面側の非当接側部材４０で形成されている。当接側部材３０は、当接側部材支持部材３１、着席者の背中を受ける背受面側に接合される緩衝材としてのクッション３９及びカバー３８で形成されている。
【００５２】
――当接側部材支持部材――
図４に示すように、当接側部材支持部材３１には、保持部材３２、３２ａ、先端部収容部材３３、３３ａ及び補強枠３１ａが形成されている。当接側部材支持部材３１は、大きさが横４４０ｍｍ、縦５００ｍｍ、厚み３ｍｍで、上部の両コーナーは外側が曲率半径Ｒ１００ｍｍのカーブが形成され、背中を支える背受面（表面）は曲率半径Ｒ５００ｍｍの凹みが形成されている。
当接側部材支持部材３１の縁部分の全周に裏面側に突出するように、コ字状の補強枠３１ａが高さ約２０ｍｍ、幅が約２０ｍｍ、厚み約３ｍｍで形成されている。当接側部材支持部材３１の上部中心から各々５０ｍｍ離れた位置に幅１５ｍｍの切欠き部３７及び３７ａが形成され、切欠き部３７及び３７ａの各々の真下方向３０ｍｍの位置に保持部材３２及び３２ａが形成され、更に真下方向５０ｍｍの位置に先端部収容部材３３及び３３ａが形成されている。
この切欠き部３７及び３７ａの位置は、ハンガー２の支持部材７及び７ａの位置に対応して形成されている。
保持部材３２は高さ２５ｍｍ、幅１８ｍｍの半円筒形で、その中心部には直径１０ｍｍで形成された支持部材７が貫入するように直径１１．５ｍｍの貫通孔が形成されている。上部及び下部に補強のために厚み３ｍｍで幅２７ｍｍのフランジ部が形成されている。保持部材３２ａも保持部材３２と同様に形成されている。
先端部収容部材３３は、高さ２５ｍｍ、幅１８ｍｍの半円筒形で、その中心部には支持部材７が貫入するように直径１１．５ｍｍの丸穴が深さ２２ｍｍで形成されている。先端部収容部材３３ａも先端部収容部材３３と同様に形成されている。穴が貫通していないのは、支持部材７及び７ａの先端が穴の底部に当接することによりストッパーとして機能させるためである。
また、複数箇所に、当接側部材支持部材３１と非当接側部材４０とを嵌合するための嵌合ボス（不図示）が形成されている。更に当接側部材支持部材３１の裏面側に突出して幅３ｍｍ、高さ５ｍｍのリブ（不図示）が機械的強度を高め、更に射出成型によるひけを防止するために複数箇所形成されている。
以上のように構成される当接側部材支持部材３１は、材料にポリプロピレン（ＰＰ：ＪＩＳ  Ｋ  ６９２１）用い、金型を製作し射出成型により一体構造として作製した。
【００５３】
――クッション及びカバー――
図４に示すように、クッション３９は、軟質ウレタン材を用いて、当接側部材支持部材３１とほぼ同一外形で、厚み３０ｍｍで作製し、当接側部材支持部材３１の背中を受ける背受面側に接合した。
カバー３８は、布を用いて当接側部材支持部材３１及びクッション３９とほぼ同一形状で、やや大きく形成し、クッション３９及び当接側部材支持部材３１を覆い、周囲を折り返し、該折り返し部分を当接側部材支持部材３１と接合した。
【００５４】
――非当接側部材――
図４に示すように、非当接側部材４０は、当接側部材支持部材３１と略前後対象の形状で、大きさが横４４５ｍｍ、縦５０５ｍｍ、厚み３ｍｍで、上部の両コーナーに外側が曲率半径Ｒ１０２ｍｍのカーブを形成し、当接側部材支持部材３１に当接する面（表面）は曲率半径Ｒが約５００ｍｍの凹みを形成し、全周囲に表面側に凸になるように、高さ約２０ｍｍ、内側の幅約１５ｍｍ、厚み約３ｍｍのコ字状の補強枠（不図示）を形成した。
また、複数箇所に、当接側部材支持部材３１と非当接側部材４０とを嵌合するための嵌合ボス（不図示）が、当接側部材支持部材３１と対応する位置に形成されている。更に当接側部材支持部材３１の裏面に突出して幅３ｍｍ、高さ５ｍｍの補強用リブ（不図示）が複数箇所形成されている。
以上のように形成された非当接側部材４０は、当接側部材支持部材３１と同様、材料にポリプロピレン（ＰＰ：ＪＩＳ  Ｋ  ６９２１）用い、金型を製作し射出成型により一体構造として作製した。
非当接側部材４０には、当接側部材３０に装着されているクッション３９やカバー３８などはなく、裏面側は、模様などが付された滑らかな面が形成されている。
【００５５】
―当接側部材支持部材と非当接側部材の接合―
当接側部材支持部材３１と非当接側部材４０は、両者に形成されている嵌合部に嵌合することにより一体となる。当接側部材支持部材３１の補強枠３１ａが形成されている側と非当接側部材４０の前記補強枠が形成されている側が向かい合うように重ね合わせ、両者を押圧することにより嵌合した。
前記接合に嵌合方法を用いているので、別に結合部材を用いることがなく、簡単な構造であり、かつ外観を損なうことはない。接合した両者は、嵌合と反対方向に引っ張ると取り外すこともできる。保持部材３２や先端部収容部材３３などのメンテナンスに便利である。このように接合することで、当接側部材支持部材３１だけで機械的強度を受け持つだけでなく、非当接側部材４０も強度メンバーとなり両者一体となり、機械的強度が著しく高まる。
【００５６】
以上のように形成された背受部２０の上部の切欠き部３７及び３７ａにハンガー２の支持部材７及び７ａを挿入すると、図４に示すように、支持部材７は保持部材３２及び先端部収容部材３３に貫入され、支持部材７ａは保持部材３２ａ及び先端部収容部材３３ａに貫入されて昇降可能に保持される。このような構成により以下のような効果が得られる。
【００５７】
即ち、図１６に示すように、一般に背受部は直線又は直線に近い形状が人間工学的によいとされており、椅子一般に前記背受部の略中間位置まで直線又は直線に近い形状が用いられている。そのため本発明の実施例では保持部材３２と先端部収容部材３３が離れた位置に形成でき、ストレート部分４５が長くとれるので、ハンガー２のぐらつきが少なくなり、使い勝手がよい。また、ストレート部分４５が長いと、ハンガー２を入れやすくするため、切欠き部３７及び３７ａを多少大きくとっても、ハンガー２のぐらつきは小さくなる。更に当接側部材支持部材３１の成型金型の精度を高く求めない点においても優れる。
更に、支持部材７を略中間位置まで挿入することができるので、機械的強度が著しく高くなる効果がある。図１８に示すハンガー付きでない椅子の上部に、例えば、矢印方向に５６０Ｎの荷重を加えた場合の耐荷重と、図１７に示す本発明のハンガー２の衣類掛用部材５に矢印方向に５６０Ｎを加えた場合の耐荷重が同等となり、ハンガー２の装着により、背受部２０の機械的強度を著しく高めることができる。即ち、前記支持部材７の材料が丸鋼（ＳＷＣＨ８Ｒ）の場合、荷重の負荷位置を３０ｃｍ上に伸ばしても、ハンガー付きでない椅子と同等の耐荷重が得られ、特に、ステンレス丸鋼（ＳＵＳ３０４）の場合は、６０ｃｍ上に伸ばしても、ハンガー付きでない椅子と同等の耐荷重が得られる。
【００５８】
（実施例２）
図７は、本発明のハンガー付椅子のハンガー支持部を示す分解斜視図である。図７に示すように、実施例２では、ハンガー２の支持部材７ａが支持部材７よりも約５０ｍｍ長く形成され、先端部収容部材３３ａの位置も、これに対応して約５０ｍｍ下部に形成されている以外は、実施例１と同様に形成されている。
このように支持部材７ａ及び支持部材７の長さを変えて形成してあるため、ハンガー２を切欠き部３７及び３７ａに装着する際に、逆に挿入した場合、長い方の支持体７ａは先端部収容部材３３に当接し、短い方の支持部材７の先端部は先端部収容部材３３ａに入らず、ぐらつきが大きくなり誤挿入であることが判る。そこで、ハンガー２を引き抜いて再度正しい向きに挿入すれば支持部材７は保持部材３２及び先端部収容部材３３に、支持部材７ａは保持部材３２ａ及び先端部収容部材３３ａにキチンと貫入されて保持され、ぐらつきは生じず、正しく挿入されたことが判る。このように誤挿入を防止でき、常に適切な方向で装着することができる。
【００５９】
（実施例３）
図８は、本発明のハンガー付椅子の保持部材を示す分解斜視図である。実施例３では、図８に示すように、ハンガー２の支持部材１４は一般に用いられるステンレスの角パイプ（ＳＵＳ３０４）平角管２２ｍｍ×１２ｍｍ×１．５ｍｍ（ｔ）を用いて形成されている。衣類掛用部材５は、ステンレス丸パイプ（ＳＵＳ３０４）φ２１．７ｍｍ×１．５ｍｍ（ｔ）を用い、曲率半径Ｒ５００ｍｍで曲げ加工し、曲げ加工後、長さ４２０ｍｍで両端末を切断し１ｍｍの面取り加工によりバリなどを除去して作製した。
衣類掛用部材５の中央部に支持部材１４を挿入するための角穴を貫通せずに形成し、角穴の周囲に発生したバリなどを除去した。支持部材１４の先端を衣類掛用部材５に設けた前記角穴に挿入し、アーク溶接により支持部材１４を衣類掛用部材５に固着した。当接側部材支持部材３１の上部の中央に支持部材１４を通すための切欠き部を幅２０ｍｍで形成し、その下部方向に３０ｍｍ下がった位置に保持部材３４を形成し、更に５０ｍｍ下がった位置に先端部収容部材３５を形成した。
保持部材３４は、縦３０ｍｍ、横３０ｍｍの四角柱で、その中心部には角パイプの支持部材１４が貫入するように横１６．５ｍｍ、奥行き１１．５ｍｍの貫通孔が形成されている。上部及び下部に補強のために厚み３ｍｍで高さ３ｍｍのフランジ部が周囲に形成されている。
先端部収容部材３５は、縦３０ｍｍ、横３０ｍｍの四角柱で、その中心部には支持部材１４が貫入するように横１６．５ｍｍ、奥行き１１．５ｍｍの孔が深さ２７ｍｍで形成されている。穴が貫通していないのは、支持部材１４の端部が孔の底部に当接することによりストッパーとして機能させるためである。
以上のように形成した以外は、実施例１と同様に形成した。本実施例３は支持部材が一本であるため部品点数が削減でき組立作業が軽減でき、外観もシンプルである。また、支持部材１４は角材であるため、ハンガー２の回転方向に外力が加わっても、保持部材３４及び先端部収容部材３５により保持されており回転することはない。
【００６０】
（実施例４）
図９は、本発明のハンガー付椅子の当接側部材の部分斜視図である。図９に示すように、実施例４では、当接側部材支持部材３１の切欠き部３７に板ばね３６が形成されている。また、切欠き部３７ａにも同様に板ばねが形成されている。これらの板ばね３６を形成した以外は実施例１と同様に作製されている。板ばね３６は、幅１２ｍｍ、縦１５ｍｍ、厚み１．５ｍｍで、当接側部材支持部材３１を射出成型する際に一体に形成されている。成型素材がポリプロピレンであるため、弾性があり支持部材７を切欠き部３７に挿入すると板ばね３６は支持部材７を押圧し、摩擦により支持部材７を保持することができる。支持部材７ａについても同様に板ばねにより保持される。このように板ばね３６をハンガー挿入口となる切欠き部３７に形成することにより、ハンガーを連続的に昇降させて、任意の高さに調節することができ、使い勝手が良好である。また、切欠き部３７及び３７ａに板ばね３６があることにより、ハンガー２を取り外した際に、切欠き部３７及び３７ａの目隠しにもなる。他方、図８に示すように、板ばね３６を容易に削除することもできる。
【００６１】
（実施例５）
実施例５は、図１０に示すように、先端部収容部材３３にねじ穴を形成し、ねじ３３ｂにより支持部材７が固定されている。また、先端部収容部材３３ａにも同様にねじ穴を形成し、ねじにより固定支持部材７ａが固定されている。それ以外は実施例１と同様に作製されている。
このようにねじ止めすることにより、支持部材７及び７ａは背受部２０に固定されて保持される。
ハンガー２が背受部２０に固定されているため、椅子を運搬する際にハンガー２を掴んで椅子を持ち上げてもハンガー２は抜け出ることはなく、椅子を落下させるなどの支障はなく安全である。また、運搬の際にハンガー２を持つこともできるので便利である。
【００６２】
（実施例６）
図１１は、本発明のハンガー付椅子のラチェット機構を示す部分断面図である。図１１に示すように、実施例６では、支持部材７に一定の間隔で、幅３０ｍｍ、深さ３ｍｍの円弧状の溝７ｃを複数箇所設けた。更に、当接側部材支持部材３１に形成される保持部材３２の内周側面の中央部に全周、高さ４ｍｍの円弧状の凸部３２ｂを形成した。それ以外は実施例１と同様に作製した。支持部材７ａにも支持部材７と同様に係合部分が形成されている。
以上の構成により、支持部材７ｃの昇降の際、支持部材７の溝７ｃと、凸部３２ｂが係合する。通常よりやや強くハンガー２を押し下げたり、引き上げたりすることにより前記係合を解除することができるので、ラチェット機構として機能する。このようなラチェット機構が設けられているため、昇降の際に多段階に高さを調節することができ、クリック感もあり使い勝手が極めて良好である。
【００６３】
（実施例７）
図１２は、本発明のハンガー付椅子のラチェット機構を示す部分断面図である。
図１２に示すように、支持部材７に一定の間隔で幅、１０ｍｍ、高さ３ｍｍの円弧状の凸部７ｄを設けた。更に、当接側部材支持部材３１に形成された保持部材３２の内周側面の中央部子に全周に深さ４ｍｍの円弧状の凹部３２ｃを形成した。それ以外は実施例１と同様に作製した。支持部材７ａにも支持部材７と同様に係合部分が形成されている。
以上の構成により、支持部材７の昇降の際、支持部材７の凸部７ｄと、凹部３２ｃが係合する。通常よりやや強くハンガー２を押し下げたり、引き上げたりすることにより前記係合を解除することができるので、ラチェット機構として機能する。このようなラチェット機構が設けられているため、昇降の際に多段階に高さを調節することができ、クリック感もあり使い勝手が極めて良好である。
【００６４】
（実施例８）
図１３は、図１のＡ−Ａ断面図である。図１３に示すように、実施例８では、当接側部材支持部材３１に保持部材３１ｂ及び先端部収容部材３１ｃを形成し、保持部材４０ａを非当接側部材４０に形成した以外は実施例１と同様に作製されている。このように形成することにより、支持部材７を保持部材３１ｂ、保持部材４０ａ及び先端部収容部材３１ｃに、この順に貫入すると、当接側部材支持部材３１と非当接側部材４０は支持部材７により一体化され、支持部材７、当接側部材支持部材３１及び非当接側部材４０が強度メンバーとなり、機械的強度が著しく高まる効果がある。
【００６５】
（実施例９）
図１４は、本発明のハンガー付椅子の背受部の側面図である。実施例６では、図１４に示すように、ハンガー２の衣類掛用部材５の代わりに楕円形状のヘッドレスト６０を形成したものである。それ以外は実施例１と同様に作製されている。ヘッドレストとして使用するときは、図１４に示す方向にハンガーを背受部に装着し、ハンガーとして使用するときは、図１５に示す方向にハンガーを背受部に装着する。
このように、背受部の上側からハンガーを装着する構造であるため、ハンガー２の衣類掛用部材をヘッドレスト６０としても使用できるように楕円形状に作製し、ハンガー２の方向を前後変えて挿入することにより、ヘッドレストとしてもハンガーとしても使用することができ、大変便利である。
【産業上の利用可能性】
【００６６】
本発明のハンガー付椅子は、簡単な構造であるため、サイドチェア、ロッキングチェア、リクライニングチェアなど、各種の椅子に好適に用いることができる。
【図面の簡単な説明】
【００６７】
【図１】図１は、本発明のハンガー付椅子の斜視図である。
【図２】図２は、本発明のハンガー付椅子に背広を掛けた状態の正面図である。
【図３】図３は、本発明のハンガー付椅子の背面斜視図である。
【図４】図４は、本発明のハンガー付椅子の保持部材を示す分解斜視図である。
【図５】図５は、本発明のハンガーの側面図である。
【図６】図６は、本発明のハンガーの平面図である。
【図７】図７は、本発明のハンガー付椅子の保持部材を示す分解斜視図である。
【図８】図８は、本発明のハンガー付椅子の保持部材を示す分解斜視図である。
【図９】図９は、本発明のハンガー付椅子の保持部材の部分斜視図である。
【図１０】図１０は、本発明のハンガー付椅子の保持部材の斜視図である。
【図１１】図１１は、本発明のハンガー付椅子のラチェット機構を示す部分断面図である。
【図１２】図１２は、本発明のハンガー付椅子のラチェット機構を示す部分断面図である。
【図１３】図１３は、図１のＡ−Ａ断面図である。
【図１４】図１４は、本発明のハンガー付椅子の背受部の側面図である。
【図１５】図１５は、本発明のハンガー付椅子の背受部の側面図である。
【図１６】図１６は、本発明のハンガー付椅子の背受部の断面図である。
【図１７】図１７は、本発明のハンガー付きの背受部の強度を示す説明図である。
【図１８】図１８は、ハンガー無しの背受部の強度を示す説明図である。
【図１９】図１９は、従来のハンガー付椅子の側面図である。
【符号の説明】
【００６８】
１・・・・・・・・・・・椅子本体
２・・・・・・・・・・・ハンガー
５・・・・・・・・・・・衣類掛用部材
６・・・・・・・・・・・キャップ
７、１４・・・・・・・・支持部材
２０・・・・・・・・・・背受部
３０・・・・・・・・・・当接側部材
３１・・・・・・・・・・当接側部材支持部材
３２、３４・・・・・・・保持部材
３３、３５・・・・・・・先端部収容部材
３６・・・・・・・・・・板ばね
３７・・・・・・・・・・切欠き部
３８・・・・・・・・・・カバー
３９・・・・・・・・・・クッション
４０・・・・・・・・・・非当接側部材
４５・・・・・・・・・・直線部
５０・・・・・・・・・・衣類
６０・・・・・・・・・・ヘッドレスト
８０・・・・・・・・・・ハンガー
８２・・・・・・・・・・衣類掛用部材
８５・・・・・・・・・・支持部材
９０・・・・・・・・・・保持部材
１００・・・・・・・・・背受部
【図１】
2006087528.tif 000003
【図２】
2006087528.tif 000004
【図３】
2006087528.tif 000005
【図４】
2006087528.tif 000006
【図５】
2006087528.tif 000007
【図６】
2006087528.tif 000008
【図７】
2006087528.tif 000009
【図８】
2006087528.tif 000010
【図９】
2006087528.tif 000011
【図１０】
2006087528.tif 000012
【図１１】
2006087528.tif 000013
【図１２】
2006087528.tif 000014
【図１３】
2006087528.tif 000015
【図１４】
2006087528.tif 000016
【図１５】
2006087528.tif 000017
【図１６】
2006087528.tif 000018
【図１７】
2006087528.tif 000019
【図１８】
2006087528.tif 000020
【図１９】
2006087528.tif 000021